(57)【要約】      （修正有）【課題】食品を包袋に入れ、注水しながら包袋を揉むことで、洗浄したり皮をむいたりすることができる洗浄用重層袋を提供する。【解決手段】共通開口部を有する複数枚の袋を重層して構成する包袋で、絞め紐８の一端を弛張自在に前記共通開口部１の周縁近傍全周に縫着挿通し、絞め紐８の他方端と共に、両端末を絞め玉７に導通自在に貫通して結束し、前記共通開口部１を絞止開鎖自在とし、構成するすべての袋の閉鎖部を接続固定し底部５とし、外側返し綱１１の一端を前記共通開口部１の周縁の任意箇所に接続固定し、底部５の外側に接続固定し、内側返し綱２の一端を前記共通開口部１の周縁の任意箇所に接続固定し、前記底部５の内側に接続固定して構成する、洗浄用重層袋である。【選択図】図１
2012152252.tif 000002
【特許請求の範囲】
【請求項１】
布状部材または網状部材で構成し開口部を有する複数枚の袋を重層して構成する包袋であって、
最内側の袋を最内側袋とし、
最外側の袋を最外側袋とし、
最内側袋と最外側袋を除く、袋を中間袋とし、
全袋の開口部を同一方向にして、
最外側袋を除く全袋を、
最外側袋の中に挿入位置し、
全袋のそれぞれの開口部を接着固定して一つの開口部として、共通開口部とし
共通開口部と対向する全袋の閉鎖部を接続固定し底部とした重層の包袋を構成し、
紐の一方端を弛張自在に前記共通開口部周縁近傍に縫着挿通し、
他方端と共に絞め玉に導通自在に貫通し両端を結束固定して、絞め紐として、
前記共通開口部を絞止開鎖自在とし、
綱の中央を前記共通開口部周縁の任意箇所に接続固定し、
当該綱の一方端を前記最外側袋の外側を通り前記底部の外側に接続固定し、外側返し綱とし、
当該綱の他方端を前記最内側袋の内側を通り、
前記底部の内側に接続固定し、内側返し綱とした、
ことを特徴とする洗浄用重層袋。
【請求項２】
前記最外側袋の外側面に模様を表し、外側袋計測模様とし、
前記最内側袋の内側面に、模様を表し、内側袋計測模様とした、ことを特徴とする請求項１に記載の洗浄用重層袋。
【請求項３】
前記最内側袋の内側に、内側に突出する多数の突起を有する、ことを特徴とする請求項１または請求項２に記載の洗浄用重層袋。
【発明の詳細な説明】
【技術分野】
【０００１】
この発明は、包含物を洗浄する際に用いる洗浄用重層袋に関するものである。
【背景技術】
【０００２】
従来、米を研ぐ際には、市販の容器の中に米と水をいれ攪拌したり米を手でもみ洗いし、水を複数回入れ替えて行い、最後に容器の縁に手を添えて米の流出を防止しながら、水を容器から流出させる方法が知られている。
また、メッシュ状の袋に米を入れて水中でもみ洗いする方法が知られている。
【特許文献１】特開平１１−２５３３３１  さらに、袋の中にブラシを入れ米を研ぐ方法が知られている。
【特許文献２】特開平９−２８９９５１
【発明の開示】
【発明が解決しようとする課題】
【０００３】
そのため次のような問題点があった。
【特許文献１】特開平１１−２５３３３１では、袋が破損した際、水中に米が散乱するので回収に手間がかかる。
【特許文献２】特開平９−２８９９５１では防水袋に網を接続した袋の内部の米をブラシで洗う場合には、米を攪拌するのみで研ぐ作業が出来ないため、米粒の溝内部の石粉や糠を十分洗い出すことが出来ない。
【０００４】
また、従来の方法は、  
容器に米と水を入れて研ぐ際に、研ぐ手の中から米が泳出するので、米を満遍なく研ぐことが困難で研ぎ残しの米が生じたり、また、
常に米を手ですくいながら研ぐ必要があり、わずらわしく、時間が掛かっていた。
【０００５】
米は研ぎ水の濁りがなくなるまで、数回水を交換して洗うが、水を交換する毎に容器の縁に手を添えて米の流出を防止しながら、水を容器から流出させなければならず、わずらわしさと手の添え方により米を流出させてしまう損失があった。
【０００６】
米研ぎ終了後、容器に米を移し変える際、容器の内側に米が張り付き残留するため、水で流してはがしたり手でこすり取ったりするわずらわしさがあった。
容器に米と水を入れて研ぐため、業務用に大量の米を研ぐ場合には大型容器が必要で、容器の収納場所を必要とし、米を研いだ後には容器の洗浄と水切りと収納が必要でありわずらわしかった。
【０００７】
市販されている米を洗う道具では、米粒のひだの中や表面に張り付いている糠や研ぎ石粉の十分な排除ができず、炊飯後の時間経過により不快臭が発生し味覚が低下していた。
本発明は、以上の問題点を解決するためになされたものである。
【課題を解決するための手段】
【０００８】
請求項１の発明は、
布状部材または網状部材で構成し開口部を有する複数枚の袋を重層して構成する包袋であって、
最内側の袋を最内側袋とし、
最外側の袋を最外側袋とし、
最内側袋と最外側袋を除く、袋を中間袋とし、
全袋の開口部を同一方向にして、
最外側袋を除く全袋を、
最外側袋の中に挿入位置し、
全袋のそれぞれの開口部を接着固定して一つの開口部として、共通開口部とし
共通開口部と対向する全袋の閉鎖部を接続固定し底部とした重層の包袋を構成し、
紐の一方端を弛張自在に前記共通開口部周縁近傍に縫着挿通し、
他方端と共に絞め玉に導通自在に貫通し両端を結束固定して、絞め紐として、
前記共通開口部を絞止開鎖自在とし、
綱の中央を前記共通開口部周縁の任意箇所に接続固定し、
当該綱の一方端を前記最外側袋の外側を通り前記底部の外側に接続固定し、外側返し綱とし、
当該綱の他方端を前記最内側袋の内側を通り、
前記底部の内側に接続固定し、内側返し綱とした。
請求項２の発明は、
前記最外側袋の外側面に模様を表し、外側袋計測模様とし、
前記最内側袋の内側面に、模様を表し、内側袋計測模様とした。
請求項３の発明は、
前記最内側袋の内側に、内側に突出する多数の突起を有する。
【発明の効果】
【０００９】
洗浄用重層袋の絞め紐を弛め共通開口部から、最外側袋の計測模様を目安としながら必要量の米を入れ、絞め紐を引き、絞め玉で絞め紐を固定し共通開口部を密閉し、一方の手で共通開口部と絞め玉を握り、洗浄用重層袋に注水しながら他方の手で洗浄用重層袋を床面に圧下して揉み、洗浄用重層袋に包含した米を研ぎ、
【００１０】
完了後は絞め紐を緩めて共通開口部を開口し、容器に共通開口部を下にして洗浄用重層袋を置き、内側返し綱を引き下げて最内側袋を外側に出して米を容器に吐出する。
この状態のまま再使用する際は、最内側袋の計測模様で計測しながら、共通開口部より必要量の米を入れ、絞め紐を引き、絞め玉で絞め紐を固定し共通開口部を密閉し、洗浄用重層袋に包含した米を研ぐことができる。
【００１１】
元の状態に戻すには、外側返し綱を共通開口方向へ引き、最内側袋を共通開口部から引き入れる。
【００１２】
これにより、米を洗浄用重層袋に包含して研ぐため、満遍なく米を研ぐことが出来て、常に手ですくいながら米を研ぐ必要がなくなり短時間で米を研ぐことができ、
洗浄水を流出させる必要がなく、その際米を流出させてしまう損失がなく、米研ぎ終了後、容器に張り付いた研ぎ米を容器から手でこすり取ったり、水で流して剥離する必要がなく、また、米研ぎ専用の容器を必要とせず、容器の洗浄と水切り収納場所が要らない。
【００１３】
また、米に水分を含ませる作業では、研いだ米を洗浄用重層袋に包含した状態で静置すればよい。
また、洗浄用重層袋は、複数の袋で構成するため、米を洗浄用重層袋に包含して研ぐ作業中に、
最内側袋が破損した際は、いづれかの重層する袋の間に米が挟入するので最内側袋の破損が容易に発見でき、包含する米が流出することがない。
【００１４】
また、最内側袋の内側に微細な突起を有する洗浄用重層袋では、ジャガイモやサトイモを共通開口部より投入し、共通開口部を密閉し、
一方の手で共通開口部と絞め玉を握り、
洗浄用重層袋に注水しながら他方の手で洗浄用重層袋を床面に圧下して揉み洗いすると、複数の微細な突起によりジャガイモやサトイモの皮を剥離しながら同時に洗浄が可能である。
【発明を実施するための最良の形態】
【００１５】
以下、本発明の実施の形態を説明する。
複数枚の袋の開口部を同一方向にして、
最外側の袋を除く全袋を、
最外側の袋の中に挿入位置し、
全袋のそれぞれの開口部を接着固定して一つの開口部として、共通開口部１とし、
複数枚の袋が重層する包袋を構成し、
それぞれの袋の閉鎖部を接続固定し底部５とし、
絞め紐８の一端を弛張自在に前記共通開口部１の周縁近傍全周に縫着挿通し、
【００１６】
絞め紐８の他方端と共に、両端末を絞め玉７に導通自在に貫通して結束し、
前記共通開口部１を絞止開鎖自在とし、
外側返し綱１１の一端を前記共通開口部１の周縁の任意箇所に接続固定し、
最外側袋４の外側を通り前記底部５の外側に接続固定し、
内側返し綱２の一端を前記共通開口部１の周縁の任意箇所に接続固定し、
最内側袋３の内側を通り前記底部５の内側に接続固定し、
【００１７】
最外側袋４の外側面に外側袋計測模様６を表し、
最内側袋３の内側面に内側袋計測模様１３を表し、
最内側袋３の内側に複数の微細な突起１４を有する。
【図面の簡単な説明】
【００１８】
【図１】本発明の斜視図。
【図２】本発明を使用中の図で、（A）は米を包含した状態で共通開口部を密閉し、洗浄中の状態を示す、（B）は洗浄後に内側返し綱を下方に引き最内側袋を外側にして包含米を吐出する図。
【符号の説明】
【００１９】
１  共通開口部
２  内側返し綱
３  最内側袋
４  最外側袋
５  底部
６  外側袋計測模様
７  絞め玉
８  絞め紐
９  米
１０  流水
１１  外側返し綱
１２  容器
１３  内側袋計測模様
１４  突起
１５  中間袋
【図１】
2012152252.tif 000003
【図２】
2012152252.tif 000004